(57)【特許請求の範囲】
【請求項１】
基板上に半導体素子を実装する工程と、上記基板とで上記半導体素子の一部または全体を包囲する筐体に、上記半導体素子の表面に面接触する熱伝導部材と、この熱伝導部材と上記筐体の内面との間に配置され、加熱によって膨張および発泡し使用環境温度範囲においては膨張した状態が保持される熱不可逆材料を有する加圧部材とを装填する工程と、上記加圧部材および熱伝導部材が装填された筐体を上記基板に装着する工程と、上記半導体素子の耐熱温度よりも低い温度で上記加圧部材を加熱して体積を増加させる工程とを備えたことを特徴とする半導体装置の製造方法。
【請求項２】
基板上に半導体素子を実装する工程と、良熱伝導性を有する熱伝導部材と加熱によって膨張および発泡し使用環境温度範囲においては膨張した状態が保持されるする熱不可逆材料とを有し、上記基板とで上記半導体素子の一部または全体を包囲する筐体の内面および上記半導体素子の表面に面接触する加圧熱伝導部材を形成する工程と、上記筐体の内面に上記加圧熱伝導部材を装填する工程と、上記加圧熱伝導部材が装填された筐体を上記基板に装着する工程と、上記半導体素子の耐熱温度よりも低い温度で上記加圧熱伝導部材を加熱して体積を増加させる工程とを備えたことを特徴とする半導体装置の製造方法。
【発明の詳細な説明】
【０００１】
【発明の属する技術分野】
この発明は、半導体素子が集積搭載された小形の電子機器用の半導体装置およびその製造方法に関するものである。
【０００２】
【従来の技術】
電子機器の情報処理量の増大、処理速度の高速化と小型軽量化の進行は、その電子機器に使用される半導体装置の消費電力密度の増大をもたらし、半導体素子の温度上昇につながる。また、その温度上昇を抑えるために強制冷却手段を用いるとしても、小型軽量化を阻害することとなる。体積あたりの消費電力密度の高い半導体素子では、周知の技術である基板内にサーマルビアを形成し、放熱路の熱抵抗を低下させる方法や、半導体素子の搭載面に高熱伝導体を形成し、熱拡散させる方法のみでは、半導体素子の温度を耐熱温度以下に抑制することができない。
【０００３】
小形の電子機器用の半導体装置の冷却方法として、例えば、特開平１１−０６８３６０号公報に開示された半導体装置では、図１４に示す構造が開示されている。この構成は、基板１にフリップチップボンディング部４により半導体素子２が搭載され、半導体素子２の上部には、筐体５を設けて放熱板となる平板部５ａが半導体素子２の表面に対向してほぼ並行に隙間をおいて配置され、半導体素子２と筐体５の平板部５ａの隙間に板ばね６が配設されて熱的に接続されている。
【０００４】
板ばね６は、半導体素子２の表面に接触する第一の接触面６ａと、両端の筐体５の平板部５ａに接触する第二の接触面６ｂと、第一の接触面６ａと第二の接触面６ｂの間の傾斜したばね部６ｃとで構成され、板ばね６の高さを低くして押さえ込むことによる反力で第一の接触面６ａと半導体素子２の表面、第二の接触面６ｂと筐体５の平板部５ａとのそれぞれの接触面に接触圧力が与えられて接触熱抵抗の低減を図っている。
【０００５】
この構成における半導体素子２の発生熱は、フリップチップボンディング部４を介して基板１に熱伝達されるとともに、半導体素子２の表面から板ばね６を介して筐体５の平板部５ａにも熱伝達され、筐体５の外表面からの放熱と、筐体５の外周部から基板１の部分に伝達して基板１の部分からも放熱することによって半導体素子２の温度が耐熱温度以下に保持されるというものである。
【０００６】
この構成では、板ばね６の高さを低く押さえ込むことによる反発力で半導体素子２の表面と板ばね６の第一の接触面６ａおよび第二の接触面６ｂと筐体５の内面との接触面に接触圧力を与えて、接触熱抵抗の低減をはかっている。接触面の接触熱抵抗は接触圧力が高いほど密着性がよくなり接触熱抵抗は低くなるが、押圧力が高くなると半導体素子２に加えられる圧力が高くなり、半導体素子２に悪影響を与えて機械的信頼性が低下する問題があるので、接触面に加える接触圧力は、接触熱抵抗が低減され、しかも半導体素子２には機械的信頼性を低下させない適正な接触圧力を加えることが重要である。
【０００７】
しかしながら、実際の半導体装置では、半導体素子２の表面と筐体５の平板部５ａ内面との間隙は、各部品の加工公差があり、筐体５の装着時の公差も加わり、半導体素子２と筐体５の内面との間の間隙にはばらつきがある。
また、板ばね６の形状について、第一の接触面６ａを平板状に形成していると、板ばね６が押さえ込まれたときに第一の接触面６ａの中央部が浮き上がった状態となるので、板ばね６は押さえ込んだときに第一の接触面６ａが平面になるように湾曲状態に形成しておくことが必要である。
【０００８】
しかし、たとえ第一の接触面６ａを装着時に平面となるように適正な湾曲面に形成していても、半導体素子２の表面と筺体５の平板部５ａとの間の隙間が広くなっている場合には、第一の接触面６ａの両端部が接触しない状態となり、また、隙間が狭くなっている場合には第一の接触面６ａの中央部が浮き上がった状態となって部分的な接触状態となることが想定される。また、半導体素子２の表面と筐体５の平板部５ａとの隙間が狭くなっていると、半導体素子２に対する押圧力が強くなり、半導体素子２およびその接続部に外部機械的信頼性が低下することが懸念される。したがって、半導体素子２の表面と筺体５の平板部５ａとの間隔のばらつきがないように精度よく製作する必要がある。
【０００９】
【発明が解決しようとする課題】
上記従来の構成は、半導体素子２の表面と筺体５の平板部５ａとの間に配置された板ばね６を半導体素子２の表面および筐体５の平板部５ａに面接触させて半導体素子２の表面から筐体５に熱伝達できるように構成したものであり、板ばね６の第一の接触面６ａと半導体素子２の表面との接触面および筐体の平板部５ａとの接触面において、低い接触熱抵抗値が維持できることが必要であるが、実際の半導体装置２と筐体５の平板部５ａとの隙間には、各部材の加工寸法のばらつきがある。
【００１０】
半導体素子２の表面と筐体５の内面５ａとの隙間が広くなった場合には、板ばね６の第一の接触面６ａと半導体素子２の表面および第二の接触面６ｂと筐体５の平板部５ａそれぞれの接触面に十分な押圧力が与えられないで低い接触熱抵抗値が得られない。また、半導体素子２と筐体５の平板部５ａとの隙間が狭くなった場合には、ばね部６ａの押さえ込み量が多くなり過ぎて、板ばね６の折り曲げ部近傍のみが接触して第一の接触面６ａの中間部および第二の接触面６ｂの両端部が浮き上がった部分接触状態となり、低い接触熱抵抗値が得られないで半導体素子２の発熱が筐体５に伝達されにくくなり、さらに、板バネ６は半導体素子２の表面に局部的に過度の押圧力を与えることになり、半導体素子２およびフリップチップボンディング部４の部分の機械的信頼性が低下する問題点もある。
【００１１】
この発明は、半導体素子の表面と筐体の内面との間の隙間にばらつきがあっても、その間に配置した熱伝導部材の接触面には、均等且つ適正な接触圧力が与えられる構成とし、放熱効果を高めた信頼性の高い半導体装置を提供することを目的とする。
【００１２】
【課題を解決するための手段】
この発明の請求項１に係る半導体装置の製造方法は、基板上に半導体素子を実装する工程と、基板とで半導体素子の一部または全体を包囲する筐体に半導体素子表面に面接触する熱伝導部材と、この熱伝導部材と筐体の内面との間に配置し、加熱によって膨張および発泡し使用環境温度範囲においては膨張した状態が保持される熱不可逆材料を有する加圧部材とを装填する工程と、加圧部材および熱伝導部材が装填された筐体を基板に装着する工程と、半導体素子の耐熱温度よりも低い温度で加圧部材を加熱して体積を増加させる工程とを備えた方法である。
【００１３】
この発明の請求項２に係る半導体装置の製造方法は、基板上に半導体素子を実装する工程と、良熱伝導性の熱伝導部材と加熱によって膨張および発泡し使用環境温度範囲においては膨張した状態が保持される熱不可逆材料とを有する加圧熱伝導部材を形成する工程と、基板とで半導体素子の一部または全体を包囲する筐体に加圧熱伝導部材を装填する工程と、加圧熱伝導部材を装填した筐体を基板に装着する工程と、半導体素子の耐熱温度よりも低い温度で加圧熱伝導部材を加熱して体積を増加させる工程とを備えた方法である。
【００１４】
【発明の実施の形態】
実施の形態１．
図１は実施の形態１の半導体装置の構成を模式的に示した断面図である。図２は半導体素子を包囲するように配置された筐体の構成説明図、図３は半導体装置の組立状態を示す断面図である。図において、２は半導体素子であり、一面（以下接続面という）に接続端子が配置され、その反対面（以下表面という）は平面状に形成されている。１１は半導体素子２を実装する基板であり、半導体素子２が接続される回路が形成され、半導体素子２の実装面には良電気伝導層１２が形成されている。３は基板１１に形成された回路と半導体素子２の接続面の接続端子とを電気的に接続するはんだボール、４は基板１１と半導体素子２の接続面をシール材で覆ったフリップチップボンディング部、１３は基板１１とで半導体素子２を包囲する筐体であり、筐体取付部１４と筐体カバー１５とで構成され、筐体取付部１４は中央部が開口した開口部１４ａがあり、筐体カバー１５の半導体素子２に対向する内面には凹部１５ａが設けられている。１６は半導体素子２の表面に面接触する良熱伝導性材料で形成された熱伝導部材、１７は筐体カバー１５の凹部１５ａに装填され、熱伝導部材１６に押圧力を与える加圧部材である。
【００１５】
筐体１３の部分は、図２に示すように筐体カバー１５の凹部１５ａに加圧部材１７を装填し、その表面に熱伝導部材１６を配設し、この熱伝導部材１６の周縁部は筐体取付部１４と筐体カバー１５との間に挟み込んで装着し、熱伝導部材１６の外縁部に押圧力を与えた状態で筐体カバー１５の両端部１５ｂを爪止め等で筐体取付部１４、熱伝導部材１６および筐体カバー１５を固着して一体化する。このように加圧部材１７および熱伝導部材１６が装填された筐体１３を図３に示すとおりに半導体素子２を包囲するように基板１１の実装面側に配置し、筐体取付座１４の座部を基板１１の良電気伝導層１２に密着固定する。図１、図２、図３では筐体取付座１４と筐体カバー１５とを爪止めによって固着する構成で説明したが、半田接合や、ねじ止めなどの方法によって行ってもよく、この場合には、筐体１４の爪および筐体１５の爪の引っ掛かり部は必要でない。また、図１、図２では筐体取付座１４と筐体カバー１５の固定は２辺で行っているが、必要により３辺あるいは４辺で行うと熱伝導性が良好になり、加圧部材１７の封止性も良くなる。
【００１６】
加圧部材１７は、加熱することにより応力開放されて膨張し、機器の使用環境温度範囲においては膨張した状態が保持される構造的熱不可逆材料を使用する。構造的熱不可逆材料としては、例えば、日本フェライト株式会社製のＥＸＰＮＣＥＬや、松本油脂製薬株式会社製のマツモトーマイクロスフェアーＦがある。これらの材料は半導体素子２の耐熱温度以下で高温域温度で加熱することにより膨張および発泡し、以後の使用環境温度内では膨張状態が保持されるものである。
【００１７】
熱伝導部材１６は、半導体素子２の表面の全域に面接触するように、適当に柔軟性があり、且つ熱伝導性が良好であることが必要であり、例えば、松下電器産業株式会社製のグラファイトシートや、ステンレスシートが適している。グラファイトシートは表１に示す特性を有している。
【００１８】
【表１】
0004503887.tif 000002
【００１９】
表１のグラファイトシートのａ−ｂ面とは、シート面方向の特性を示し、ｃ軸は厚さ方向であり、熱伝導率は６００〜８００（Ｗ／ｍ・Ｋ）と高い値を示している。
【００２０】
筐体１３は、熱伝導性の良好な材料であれば金属材料、非金属材料のいずれでもよい。また、筐体取付座１４および筐体カバー１５が熱伝導率の低い材料で形成した場合には、半導体素子２に対向する筐体取付部１４および筐体カバー１５の内面および熱伝導部材１６が挟み込まれる接合面に、例えばマグネシウム合金粉など熱伝導性の良好な材料を溶射またはめっき等により良熱伝導性膜を形成する構成することができる。
【００２１】
半導体装置の加圧部材１７の構造的熱不可逆材料が膨張しない状態では図３に示すように、半導体素子２の表面と熱伝導部材１６の半導体素子２に対向する面との間には隙間ｄがある状態であり、加圧部材１７を半導体素子２およびはんだボール３の耐熱温度以下で、加圧部材１７の構造的熱不可逆材料が膨張する温度で加熱すると、加圧部材１７の構造的熱不可逆材料が体積膨張し、熱伝導部材１６が半導体素子２の表面に押しつけられて図１に示す状態に変形し、熱伝導部材１６は半導体素子２の表面に沿ってほぼ均一且つ適正圧力の接触圧力で面接触する。
【００２２】
筐体カバー１５は、加圧部材１７による熱伝導部材１６を押圧する押圧力の反力を受けるので、その反力に対して変形しないように剛性を高く設定した構成とする必要がある。加圧部材１７の構造的熱不可逆材料は、膨張するべき最大の容積に対応する量を混入しておけばよい。
【００２３】
加圧部材１７の加熱前の半導体素子２の表面と熱伝導部材１６との隙間ｄは、半導体素子２の高さ、筐体取付座１４、筐体カバー１５等には加工寸法のばらつきがあるので一定ではない。半導体素子２と熱伝導部材１６の間の隙間ｄに対して、各部材の加工寸法の公差によって生じる隙間ｄのばらつきを±ｄ０  とすると、隙間の範囲はｄ±ｄ０  となり、隙間ｄ−ｄ０  （ｄ０  ＞０）の場合には、加圧部材１７に含まれた構造的熱不可逆材料は、加熱により体積膨張を起こす過程で膨張しない材料が残り、隙間ｄ＋ｄ０  （ｄ０  ＞０）の場合には、加圧部材１７は、加熱によりほとんどが体積膨張を起こすことになる。つまり、加圧部材１７が体積膨張することで筐体１３および熱伝導部材１６に押圧力を与えるが、加圧部材１７もまた筐体１３および熱伝導部材１６より反力を受けているため、加圧部材１７が膨張できる圧力範囲を超えると加圧部材１７の構造的熱不可逆材料は体積膨張を中断する。よって、半導体素子２に過度の押圧が加えられることはない。したがって、加圧部材１７は、半導体素子２の表面と熱伝導部材１６の間の隙間ｄにばらつきがあっても、熱伝導部材１６は半導体素子２の接触面に対してほぼ均等且つ適正圧力で押圧されて安定した低熱接触状態が確保される。
【００２４】
図１の半導体装置は、基板１１に半導体素子２を実装し、半導体素子２を包囲する筐体１３の筐体カバー１５の凹部１５ａに構造的熱不可逆材料を有する加圧部材１７を装填し、その表面に熱伝導部材１６を装填した筐体１３を半導体素子２が実装された基板１１に半導体素子２を包囲するように装着し、基板１１と筐体１３の接合部を密着させて組み立て、半導体装置を半導体素子２の耐熱温度以下で加圧部材１７の構造的熱不可逆材料が体積膨張する温度で加熱して体積を増加させる工程で製造される。
【００２５】
以上のように半導体装置を構成すると、半導体素子２の表面と筐体１３の筐体カバー１５の内面との隙間ｄにばらつきがあっても、半導体素子２の表面に面接触した熱伝導部材１６の接触面の全面に均一且つ適正な接触圧力が与えられて、半導体素子２の表面と筐体１３との間の低熱抵抗状態が確保され、半導体素子２に発生した熱は熱伝導部材１６を介して効率よく筐体１３に伝達され、筐体１３の外表面から放熱されるとともに、基板１１にも伝達され、半導体素子２の温度を耐熱温度以下に保持することが容易な構成となる。
【００２６】
以上は半導体素子２から熱伝導部材１６を介して筐体１３の部分に熱伝達させる構成について説明したが、この構成では、従来の放熱手段である例えば、基板にサーマルビアを設け、基板に熱的に接続されたヒートパイプにより強制冷却する方法や、基板にペルチェ素子を形成し吸熱させる方式などを併用することで半導体素子２の冷却効果をさらに高めることができる。さらに、筐体１３を良熱伝導性の材料で製作し、筐体１３に放熱フィンを設けることで半導体素子２の熱を熱伝導部材１６から筐体１３に誘導して放熱することもできる。また、筐体１３にヒートパイプを埋めこみ、強制冷却方式を組み合わせることでも良好な冷却効果が得られる。
【００２７】
半導体素子２の表面と熱伝導部材１６の面接触部に熱伝導グリース例えばシリコーンゲルなどを塗布して組み立てると、半導体素子２の表面と熱伝導部材１６との接触面の熱抵抗値を低下させることができ、半導体素子２の温度上昇をさらに効率よく抑制することができる。
【００２８】
実施の形態２．
図４は実施の形態２の半導体素子を包囲するように配置する筐体部分の構成説明図である。実施の形態２は、実施の形態１における筐体の半導体素子２に対向する部分に配置する加圧部材の構成を収納袋に構造的熱不可逆材料を収容した構成としたものである。図４において、筐体取付座１４、熱伝導部材１６は実施の形態１の図１、図２と同一部分である。２５は筐体カバーであり、半導体素子２に対向する内面は平面状に形成したものである。２７は加圧部材であり、ゴムなどの柔軟性のあるシート状材料で収納袋を形成し、その収容袋に実施の形態１で使用したものと同じ構造的熱不可逆材料を収容して封止したものである。２３は筐体取付部１４と筐体カバー２５とで構成された筐体である。筐体２３は実施の形態１における筐体１３と同一の材料で構成され、半導体素子２に対向する内面は平板状に形成されている。この構成の基板に半導体素子が実装された部分は実施の形態１と同一である。
【００２９】
加圧部材２７は、収納袋に構造的熱不可逆材料を収容して封止することで準備し、筐体２３の部分は図４に示すように筐体２５の内面に加圧部材２７を配置し、その表面に熱伝導部材１６を配置し、熱伝導部材１６の周縁部は筐体取付部１４と筐体カバー２５との間に挟み込み、押圧力を与えた状態で筐体カバー２５の両端部を爪止め等で固定して一体化する。筐体取付部１４と筐体カバー２５との固着の方法は、半田接合や、ねじ止めなどの方法によって行ってもよく、この場合には、筐体１４の爪および筐体２５の爪の引っ掛かり部は必要でない。また、筐体取付座１４と筐体カバー２５の固定は２辺で行っているが、必要により３辺あるいは４辺で行ってもよい。このように加圧部材２７および熱伝導部材１６が装填された筐体２３を図３と同様に半導体素子２を包囲するように基板１１の実装面側に配置し、筐体取付座１４の座部を基板１１の良電気伝導層１２に固着する。
【００３０】
加圧部材２７の収納袋に収容した構造的熱不可逆材料は、実施の形態１の場合と同じ材料を使用し、粉状の材料をそのまま収納袋に収容してもよいし、例えば液状のシリコンゴム系等の硬化しにくい高分子材料のマトリックスと混合して収納袋に収容する方法を採ると作業性がよくなる。
【００３１】
この構成においても、半導体素子２の表面と熱伝導部材１６との接触面に例えばシリコーンゲルなどの熱伝導グリースを塗布して組み立てると、半導体素子２の表面と熱伝導部材１６との接触面の熱抵抗値をさらに低下させることができ、半導体素子２の温度上昇をより抑制することができる。
【００３２】
この構成では、加圧部材２７は構造的熱不可逆材料を収容袋に収容した構成としたことにより、あらかじめ加圧部材２７を準備しておくことができるので作業性がよくなり、筐体２３の筐体カバー２５に凹部を設ける必要もなくなり、実施の形態１に比較して加工性がよくなる。
【００３３】
実施の形態３．
図５は実施の形態３の半導体装置の構成を模式的に示した断面図である。実施の形態３は、実施の形態１における熱伝導部材の端部を基板の実装面の良電気伝導層に熱接続した構成である。図において、半導体素子２、はんだボール３、フリップチップボンディング部４は実施の形態１の図１と同一である。３１は半導体素子２が実装された基板、３２は基板３１の実装面の良電気伝導層、３３は筐体であり、基板３１とで半導体素子２の一部または全体を包囲するように配置され、基板３１に固定されている。３６は半導体素子２の表面に面接触し、両端部が基板３１の良電気伝導層３２にはんだ付けなどの方法で接続された熱伝導部材である。３７は加圧部材であり、実施の形態２の加圧部材２７と同様に、ゴムなどの柔軟性のあるシート状材料により収容袋を形成し、その内部に構造的熱不可逆材料を収容して封止した構成である。
【００３４】
熱伝導部材３６と半導体素子２の間には実施の形態１と同様に、シリコーンゲルなどの熱伝導グリースを塗布することで熱伝導部材３６と半導体素子２の表面との接触面の接触熱抵抗を低下させることができる。
【００３５】
このように構成したことにより、半導体素子２の発生した熱を熱伝導部材３６を介して基板３１上の良電気伝導層３２に直接伝熱させて熱拡散面積を増加させることができる。筐体３３は、熱伝導部材３６によって基板３１の良電気伝導層３２に直接接続しているので、一体に形成した構成として実施の形態１、２のように良熱伝導体でなくてもよい。加圧部材３７は、実施の形態１、２と同様に、加熱することにより膨張または発泡することで熱伝導部材３６を押圧し、半導体素子２の表面との接触熱抵抗を低下させるように作用し、半導体素子２の表面より発熱する熱を熱伝導部材３６を介して低熱抵抗の放熱経路で吸熱し放熱部へ誘導することができる。なお、筐体３３は半導体素子２を閉じ込めるように収容する必要はなく、加圧部材３７を保持することができる形状であれば、半導体素子２に対して開放状態であってもよい。また、熱伝導部材３６は熱的に良電気伝導層３２に接続して半導体素子２の熱を拡散または冷却部に誘導するためのものであり、少なくとも１端が良電気伝導層３２に接続されておればよい。熱伝導部材３６に接続される良電気伝導層３２は、半導体素子２の電気信号に影響を与えない良電気伝導材料を選択することが必要であることは言うまでもない。
【００３６】
実施の形態４．
実施の形態４は実施の形態１における加圧部材１７、実施の形態２の加圧部材２７および実施の形態３の加圧部材３７の具体的な加工方法を示すものである。加圧部材として日本フィライト株式会社製のＥＸＰＮＣＥＬや、松本油脂製薬株式会社製のマツモトーマイクロスフェアーＦ等の加熱することにより応力開放されて膨張および発泡し、機器の使用環境温度範囲においては膨張した状態が保持される構造的熱不可逆材料を使用する。これらの構造的熱不可逆材料は、粒径１０〜５０μｍ程度のマイクロカプセルという粉状であり、取り扱いを容易にすることが必要である。
【００３７】
その方法として、硬化しにくいシリコーンゴム系の高分子材料などのマトリックス１８に混合して液状にすることにより取扱が容易になる。例えば実施の形態１の場合は、図６（ａ）に示すように筐体カバー１５の凹部１５ａに滴下する。粘性の高い場合は図６（ｂ）に示すように構造的熱不可逆材料をマトリックス１８に混合してペースト状にして装填し、回転体１９などを用いて、表面をならす方法で筐体カバー１５に装填することができる。また、実施の形態２の場合は、ゴムなどの柔軟性がある材料により形成した収納袋にマトリックス１８に混合した構造的熱不可逆材料を収容して封止することで加圧部材２７が構成できる。実施の形態３の加圧部材３７についても同様に構成できる。このように加圧部材１７、２７、３７の構造的熱不可逆材料は、マトリックス１８に混在させることで簡易に取り扱いが出来るようになる。
【００３８】
実施の形態５．
図７は実施の形態５の半導体装置の構成を模式的に示した断面図である。図８は加圧熱伝導部材の製作要領図である。実施の形態５は半導体素子に発生した熱を筐体に伝導する熱伝導機能と半導体素子との接触面に接触圧力を与える加圧機能を兼ね備えた加圧熱伝導部材とした構成である。図において、半導体素子２、はんだボール３、フリップチップボンディング部４は実施の形態１の図１と同一である。４１は半導体素子２が実装された基板、４２は基板４１の実装面に設けられた良電気伝導層、４３は筐体であり、半導体素子２の一部または全体を包囲するように一体に形成され、端部が基板４１に固着される。４５は熱伝導機能と加圧機能とを備えた加圧熱伝導部材であり、半導体素子２の表面と筐体４３の内面の双方に面接触して配置されている。
【００３９】
加圧熱伝導部材４５は、例えば図８（ａ）に示すように、アルミニウム、ステンレス等の良熱伝導性材料をハニカム構造に形成した熱伝導部材４６の空洞部分に、加熱することにより膨張または発泡する構造的熱不可逆材料を有する加圧部材４７を例えば圧力差を利用した吸引などの方法により注入し、図示のＺ軸方向に、両端部は図８（ｂ）に示すように圧着などの方法により封止した構成としている。構造的熱不可逆材料としては、実施の形態１と同様に、例えば、日本フェライト株式会社製のＥＸＰＮＣＥＬや、松本油脂製薬株式会社製のマツモトーマイクロスフェアーＦ等を使用する。
【００４０】
図７の半導体装置は、基板４１に半導体素子２を実装し、加圧熱伝導部材４５を図８に示す要領で製作し、筐体４３の内面に加圧熱伝導部材４５を装填して、半導体素子２が実装された基板４１に半導体素子２を包囲するように装着し、基板４１と筐体４３の接合部をはんだ付け、あるいはレーザー溶接その他の方法により密着させ、組み立てられた半導体装置を半導体素子２の耐熱温度以下で加圧部材４７の構造的熱不可逆材料が体積膨張する温度に加熱して、加圧熱伝導部材４５と半導体素子２および筐体４３とのそれぞれの接触面の接触圧力を与える工程で製造される。
【００４１】
加圧熱伝導部材４５と半導体素子２の表面および筐体４３の内面のそれぞれの間には実施の形態１と同様に、シリコーンゲルなどの熱伝導グリースを塗布して組み立ててもよい。
【００４２】
このように加圧熱伝導部材４５を半導体素子２と筐体４３の間に装填した構成としたことにより、加圧熱伝導部材４５は、半導体装置の組立作業前にあらかじめ準備しておくことができるので、半導体装置の組立作業時間が短縮できる。また、筐体４３の筐体カバー４５は凹部を設けないので製作コストが低減される。
【００４３】
実施の形態６．
実施の形態６は、実施の形態５の半導体装置の加圧熱伝導部材の構成を、良熱伝導材料の容器に、加圧部材を封入した構成としたものである。図９は実施の形態６の加圧熱伝導部材の製作要領を示す説明図である。図において、５５は例えば、松下電器産業株式会社製のグラファイトシートや、ステンレスシート等の柔軟性を有する良熱伝導性材料により箱状に形成した熱伝導部材５６Ａと熱伝導部材５６Ｂを形成し、熱伝導部材５６Ａの凹部に加圧部材５７を充填し、熱伝導部材５６Ｂを熱伝導部材５６Ａの周縁に圧着した構成である。加圧部材５７としては、例えば日本フェライト株式会社製のＥＸＰＮＣＥＬや、松本油脂製薬株式会社製のマツモトーマイクロスフェアーＦ等の構造的熱不可逆材料を使用する。
【００４４】
加圧部材５７の構造的熱不可逆材料は、液状状態のシリコンゴム系の高分子材料などの硬化しにくい粘性材料のマトリックスと混合して熱伝導部材５６Ａ、５６Ｂに収容する方法とさらに充填作業が容易になる。
【００４５】
このように構成された加圧熱伝導部材５５は、実施の形態５の図７の加圧熱伝導部材４５に代えて筐体４３に装填して半導体装置を組み立て、半導体素子２の耐熱温度以下の構造的熱不可逆材料が体積膨張する温度に加熱して、加圧熱伝導部材５５と半導体素子２および筐体４３とのそれぞれの接触面の接触圧力を与える工程で製造される。
【００４６】
熱伝導部材５６Ａおよび５６Ｂは同一の材料で構成されている必要はなく、特に筐体と接する熱伝導部材５６Ｂについては弾性が低くてもよい。また第７図では熱伝導部材５６Ａに凹部を設けているが、作業効率を上げるためのものであり、必ずしも必要ではない。
【００４７】
加圧熱伝導部材５５と半導体素子２の表面および筐体４３の内面のそれぞれの間には実施の形態１と同様に、シリコーンゲルなどの熱伝導グリースを塗布して加圧熱伝導部材５５の接触面の接触熱抵抗を低下させて組み立てられる。
【００４８】
このように構成すると、実施の形態５と同様に、加圧熱伝導部材５５が半導体装置の組立作業前にあらかじめ準備しておくことができ、半導体装置の組立作業の効率がよくなり、実施の形態４と同様に、半導体素子２に発生した熱が加圧熱伝導部材５５を通して筐体４３に伝達される構成となる。
【００４９】
実施の形態７．
実施の形態７は、半導体素子の表面と筐体の内面との間に装填する加圧熱伝導部材を、良熱伝導性フィラーと構造的熱不可逆材料とを混合した熱伝導機能と加圧機能を備えた混合物で構成したものである。図１０は実施の形態７の加圧熱伝導部材の状態を示す説明図である。図１０（ａ）は加圧部材を膨張させる前の状態を示し、図１０（ｂ）は加圧部材が膨張した状態を示す。加圧熱伝導部材６５は、気相法炭素繊維や酸化マグネシウム等を粉状に加工した良熱伝導性材料６６と、加熱によって膨張する構造的熱不可逆材料の加圧部材６７とを硬化しにくい例えばシリコーンゴム系材料、ポリイミド、ポリエステル樹脂等の高分子材料のマトリックス６８に混合した混合物を柔軟性のあるシート状材料により形成した収納袋６９に収容して封止した構成である。
【００５０】
このように構成した加圧熱伝導部材６５を実施の形態５の図７に示す加圧熱伝導部材４５に代えて筐体４３に装填して半導体装置を組み立て、半導体素子２の耐熱温度以下の構造的熱不可逆材料の加圧部材６７が体積膨張する温度に加熱して、加圧熱伝導部材６５と半導体素子２および筐体４３とのそれぞれの接触面の接触圧力を与える工程で半導体装置を製造する。
【００５１】
加圧熱伝導部材６５と半導体素子２の表面および筐体４３の内面のそれぞれの間には実施の形態１と同様に、シリコーンゲルなどの熱伝導グリースを塗布して加圧熱伝導部材６５の面接触部の接触熱抵抗を低下させることができる。
【００５２】
このように構成された加圧熱伝導部材６５は、構造的熱不可逆材料の加圧部材６７が膨張すると、図１０（ｂ）の状態となり、良熱伝導体フィラー６６の濃度が局所的に上昇し、良熱伝導性フィラー６６のクラスターを形成する。半導体素子２に発生した熱はこの良熱伝導性フィラー６６のクラスター部を通り加圧熱伝導部材６５と接触する筐体４３に伝熱する構成となる。
【００５３】
このように構成すると、実施の形態４と同様に、加圧熱伝導部材６５は組立作業前にあらかじめ準備しておくことができ、半導体装置の組立作業時間が短縮される。
【００５４】
実施の形態８．
実施の形態８は、実施の形態１、３の熱伝導部材および実施の形態５、６の加圧熱伝導部材の熱伝性部材を良熱伝導性材料の網目状材料とした構成である。図１１は例えば巴川製紙工業（株）のステンレスシートの素材の状態を示し、この材料により、線径１０μｍ以上の金属繊維をプレス成形によって圧着したものである。図１２は、金属もしくは樹脂シートにレーザー光線などにより細かな穴をあけたいわゆる穴あき箔の素材の状況を示す。図１２（ａ）は穴あき箔の状態、図１２（ｂ）は部分拡大図である。網目状材料の網目の大きさは構造的熱可逆材料が通り抜けない大きさよりも小さい穴が形成されている。
【００５５】
この材料で熱伝導部材を形成すると、弾性が高められ、半導体素子２との接触部の密着性もよくなる。金属製の網目状材料にすると、半導体素子２に対する電気的なシールド効果も増す利点がある。
【００５６】
実施の形態９．
上記の実施の形態１〜８は半導体素子２が１個の場合の半導体装置について説明したが、実施の形態９は半導体装置が半導体モジュールで構成されている場合の実施の形態である。図１３にその構成を示す。図において、９１は基板、９２は基板９１表面の実装面の良電気伝導層、９３は基板９１上に実装された半導体モジュール、９５は基板９１とで半導体モジュール９３の一部または全体を包囲するように配置し、外周部が基板９１上の良電気伝導層９２に熱的に接触させて固着された筐体、９７は半導体モジュール９３の表面と筐体９５の内面との間に配置された加圧熱伝導部材である。
【００５７】
加圧熱伝導部材９７は、良熱伝導性材料と構造的熱不可逆材料とを有する実施の形態４の図８に示した加圧熱伝導部材４５または実施の形態６の加圧熱伝導部材５５と同一の構成とし、この加圧熱伝導部材９７を筐体９５の内面に装填して、半導体モジュール９３を包囲するように基板９１に装着し、良電気伝導層９２に筐体９５を実施の形態５に示したように、接合部をはんだ付け、あるいはレーザー溶接その他の方法により密着固定する。半導体モジュール９３の耐熱温度以下の構造的熱不可逆材料が体積膨張する温度に加熱して、加圧熱伝導部材９７と半導体モジュール９３および筐体９５とのそれぞれの接触面の接触圧力を与えることにより、半導体モジュール９３に発生した熱が加圧熱伝導部材９７を介して筐体９５に伝熱される構成となる。
【００５８】
【発明の効果】
この発明の請求項１に係る半導体装置の製造方法は、基板上に半導体素子を実装する工程と、基板とで半導体素子の一部または全体を包囲する筐体に、半導体素子の表面に面接触する熱伝導部材と、この熱伝導部材と筐体の内面との間に配置し、加熱によって膨張および発泡し使用環境温度範囲においては膨張した状態が保持される熱不可逆材料を有する加圧部材とを装填する工程と、加圧部材および熱伝導部材が装填された筐体を基板に装着する工程と、半導体素子の耐熱温度よりも低い温度で加圧部材を加熱して体積を増加させる工程とを備えた方法であり、半導体素子の発熱が低熱抵抗で冷却する部分に熱伝達され、半導体素子の温度が耐熱温度以下に保持される安定した半導体装置の容易に製造できる。
【００５９】
この発明の請求項２に係る半導体装置の製造方法は、基板上に半導体素子を実装する工程と、良熱伝導性材料と加熱によって膨張および発泡し使用環境温度範囲においては膨張した状態が保持される熱不可逆材料とを有する加圧熱伝導部材を形成する工程と、基板とで半導体素子の一部または全体を包囲するように配置された筐体の内面に加圧熱伝導部材を装填する工程と、加圧熱伝導部材を装填した筐体を基板に装着する工程と、半導体素子の耐熱温度よりも低い温度で加圧熱伝導部材を加熱して体積を増加させる工程とを備えた方法であり、半導体素子の発熱が低熱抵抗で冷却する部分に熱伝達され、半導体素子の温度が耐熱温度以下に保持される安定した半導体装置が容易に製造できる。
【００６０】
【図面の簡単な説明】
【図１】  実施の形態１の半導体装置の断面図である。
【図２】  実施の形態１の半導体素子を包囲するように配置された筐体の構成説明図である。
【図３】  実施の形態１の半導体装置の組立状態を示す断面図である。
【図４】  実施の形態２の半導体素子を包囲するように配置する筐体部分の構成説明図である。
【図５】  実施の形態３の半導体装置の断面図である。
【図６】  実施の形態４の加圧部材の装填作業の説明図である。
【図７】  実施の形態５の半導体装置の断面図である。
【図８】  実施の形態５の加圧熱伝導部材の製作要領図である。
【図９】  実施の形態６の加圧熱伝導部材の製作要領を示す説明図である。
【図１０】  実施の形態７の加圧熱伝導部材の内部の状態を示す説明図である。
【図１１】  実施の形態８の熱伝導部材に使用する網状材料の状態を示す説明図である。
【図１２】  実施の形態８の熱伝導部材に使用する穴あき箔の状態を示す説明図である。
【図１３】  実施の形態９の半導体装置の断面図である。
【図１４】  従来の半導体装置の断面図である。
【符号の説明】
１  基板、２  半導体素子、３  はんだボール、４  フリップチップボンディング部、
１１  基板、１２  良電気伝導層、１３  筐体、１４  筐体取付部、１５  筐体カバー、
１６  熱伝導部材、１７  加圧部材、２３  筐体、２５  筐体カバー、２７  加圧部材、
３１  基板、３２  良電気伝導層、３３  筐体、３６  熱伝導部材、３７  加圧部材、
４１  基板、４２  良電気伝導層、４３  筐体、４５  加圧熱伝導部材、
４６  熱伝導部材、４７  構造的熱不可逆材料、５５  加圧熱伝導部材、
５６  熱伝導部材、５７  加圧部材、６５  加圧熱伝導部材、
６６  良熱伝導性フィラー、６７  加圧部材、６８  マトリックス、６９  収納袋、
７６  熱伝導部材、８６  熱伝導部材、９１  基板、９２  良電気伝導層、
９３  半導体モジュール、９５  筐体、９７  加圧熱伝導部材。
【図１】
0004503887.tif 000003
【図２】
0004503887.tif 000004
【図３】
0004503887.tif 000005
【図４】
0004503887.tif 000006
【図５】
0004503887.tif 000007
【図６】
0004503887.tif 000008
【図７】
0004503887.tif 000009
【図８】
0004503887.tif 000010
【図９】
0004503887.tif 000011
【図１０】
0004503887.tif 000012
【図１１】
0004503887.tif 000013
【図１２】
0004503887.tif 000014
【図１３】
0004503887.tif 000015
【図１４】
0004503887.tif 000016